(57)【要約】  本発明はモバイル決済方法及び装置、並びに近距離無線通信デバイスを開示し、本発明は、情報技術の分野に関し、モバイル決済の柔軟性を改善することができる。本方法は、ＮＦＣデバイスにより、最初に、カードリーダによって送信された取引命令を、ＮＦＣを使用することによって受信するステップと、次いで、取引命令を、ブルートゥースを使用することによってインテリジェント端末に送信するステップと、インテリジェント端末によって送信された応答メッセージを、ブルートゥースを使用することによって受信するステップであって、応答メッセージが取引命令に従ってインテリジェント端末によって生成される、ステップと、最後に、応答メッセージを、ＮＦＣを使用することによってカードリーダに送信するステップとを含む。本発明は、ＮＦＣを使用することによってモバイル決済の実施に適用可能である。
2017532631.tif 000002
【特許請求の範囲】
【請求項１】
モバイル決済方法であって、
近距離無線通信ＮＦＣデバイスにより、カードリーダによって送信された取引命令を、ＮＦＣを使用することによって受信するステップと、
前記ＮＦＣデバイスにより、前記取引命令を、ブルートゥースを使用することによってインテリジェント端末に送信するステップと、
前記ＮＦＣデバイスにより、前記インテリジェント端末によって送信された応答メッセージを、前記ブルートゥースを使用することによって受信するステップであって、前記応答メッセージが前記取引命令に従って前記インテリジェント端末によって生成される、ステップと、
前記ＮＦＣデバイスにより、前記応答メッセージを、前記ＮＦＣを使用することによって前記カードリーダに送信するステップとを含む、方法。
【請求項２】
前記取引命令が非接触アプリケーションの識別情報及び取引金額情報を伝達し、前記非接触アプリケーションが前記カードリーダに対応する非接触アプリケーションであり、
前記インテリジェント端末が、少なくとも１つの非接触アプリケーションの識別情報及び前記少なくとも１つの非接触アプリケーションの口座残高情報を記憶する、請求項１に記載の方法。
【請求項３】
前記応答メッセージが前記取引命令に従って前記インテリジェント端末によって生成されるということが、具体的には、
前記インテリジェント端末が、前記取引命令において伝達された前記非接触アプリケーションの前記識別情報に従って前記非接触アプリケーションの口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで前記応答メッセージを生成することである、請求項２に記載の方法。
【請求項４】
前記応答メッセージが、取引成功情報又は取引失敗情報を伝達し、
前記取引成功情報が、前記非接触アプリケーションの前記口座残高情報が前記非接触アプリケーションの前記取引金額情報以上であると前記インテリジェント端末が判定した後に生成され、
前記取引失敗情報が、前記非接触アプリケーションの前記口座残高情報が前記非接触アプリケーションの前記取引金額情報未満であると前記インテリジェント端末が判定した後に生成される、請求項３に記載の方法。
【請求項５】
前記インテリジェント端末がセキュアエレメントＳＥを備え、前記ＳＥが、前記少なくとも１つの非接触アプリケーションの前記識別情報及び前記少なくとも１つの非接触アプリケーションの前記口座残高情報を記憶し、前記ＳＥが、加入者識別モジュールＳＩＭカード、ユーザ識別モジュールＵＩＭカード、セキュアデジタルメモリカードＳＤ、又は前記インテリジェント端末のうちの少なくとも１つに組み込まれ、
前記インテリジェント端末が複数のＳＥを備える場合、前記応答メッセージが前記取引命令に従って前記インテリジェント端末によって生成されるということが、具体的には、
前記インテリジェント端末が、前記取引命令において伝達された前記非接触アプリケーションの前記識別情報に従って前記非接触アプリケーションに対応するＳＥを判定し、
前記インテリジェント端末が、前記ＳＥにおいて、前記取引命令において伝達された前記非接触アプリケーションの前記識別情報に従って前記非接触アプリケーションの前記口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで前記応答メッセージを生成することである、請求項２から請求項４のいずれか一項に記載の方法。
【請求項６】
モバイル決済装置であって、
カードリーダによって送信された取引命令を、ＮＦＣを使用することによって受信するように構成されるＮＦＣ受信ユニットと、
前記ＮＦＣ受信ユニットによって受信された前記取引命令を、ブルートゥースを使用することによってインテリジェント端末に送信するように構成されるブルートゥース送信ユニットと、
前記インテリジェント端末によって送信された応答メッセージを、前記ブルートゥースを使用することによって受信するように構成されるブルートゥース受信ユニットであって、前記応答メッセージが前記ブルートゥース送信ユニットによって送信された前記取引命令に従って前記インテリジェント端末によって生成される、ブルートゥース受信ユニットと、
前記ブルートゥース受信ユニットによって受信された前記応答メッセージを、前記ＮＦＣを使用することによって前記カードリーダに送信するように構成されるＮＦＣ送信ユニットとを備える、装置。
【請求項７】
前記ＮＦＣ受信ユニットによって受信された前記取引命令が非接触アプリケーションの識別情報及び取引金額情報を伝達し、前記非接触アプリケーションが前記カードリーダに対応する非接触アプリケーションであり、
前記インテリジェント端末が、少なくとも１つの非接触アプリケーションの識別情報及び前記少なくとも１つの非接触アプリケーションの口座残高情報を記憶する、請求項６に記載の装置。
【請求項８】
前記インテリジェント端末が、前記ブルートゥース送信ユニットによって送信された前記取引命令において伝達された前記非接触アプリケーションの前記識別情報に従って前記非接触アプリケーションの口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース受信ユニットによって受信される前記応答メッセージを生成する、請求項７に記載の装置。
【請求項９】
前記ブルートゥース受信ユニットによって受信される前記応答メッセージが取引成功情報又は取引失敗情報を伝達し、
前記取引成功情報が、前記非接触アプリケーションの前記口座残高情報が前記非接触アプリケーションの前記取引金額情報以上であると前記インテリジェント端末が判定した後に生成され、
前記取引失敗情報が、前記非接触アプリケーションの前記口座残高情報が前記非接触アプリケーションの前記取引金額情報未満であると前記インテリジェント端末が判定した後に生成される、請求項８に記載の装置。
【請求項１０】
前記インテリジェント端末がセキュアエレメントＳＥを備え、前記ＳＥが、前記少なくとも１つの非接触アプリケーションの前記識別情報及び前記少なくとも１つの非接触アプリケーションの前記口座残高情報を記憶し、前記ＳＥが、加入者識別モジュールＳＩＭカード、ユーザ識別モジュールＵＩＭカード、セキュアデジタルメモリカードＳＤ、又は前記インテリジェント端末のうちの少なくとも１つに組み込まれ、
前記インテリジェント端末が複数のＳＥを備える場合、前記インテリジェント端末が前記ブルートゥース送信ユニットによって送信された前記取引命令において伝達された前記非接触アプリケーションの前記識別情報に従って前記非接触アプリケーションに対応するＳＥを判定し、
前記インテリジェント端末が、前記ＳＥにおいて、前記取引命令において伝達された前記非接触アプリケーションの前記識別情報に従って前記非接触アプリケーションの前記口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース受信ユニットによって受信される前記応答メッセージを生成する、請求項７から請求項９のいずれか一項に記載の装置。
【請求項１１】
近距離無線通信ＮＦＣデバイスであって、
カードリーダによって送信された取引命令を、ＮＦＣを使用することによって受信するように構成されるＮＦＣ通信モジュールと、
前記ＮＦＣ通信モジュールによって受信された前記取引命令を、ブルートゥース通信モジュールに転送するように構成されるプロセッサと、
前記ＮＦＣ通信モジュールによって受信された前記取引命令を、ブルートゥースを使用することによってインテリジェント端末に送信し、前記インテリジェント端末によって送信された応答メッセージを、前記ブルートゥースを使用することによって受信するように構成される前記ブルートゥース通信モジュールであって、前記応答メッセージが前記取引命令に従って前記インテリジェント端末によって生成される、前記ブルートゥース通信モジュールとを備え、
前記プロセッサが、前記ブルートゥース通信モジュールによって受信された前記応答メッセージを、前記ＮＦＣ通信モジュールに転送するように更に構成され、
前記ＮＦＣ通信モジュールが、前記ブルートゥース通信モジュールによって受信された前記応答メッセージを、前記ＮＦＣを使用することによって前記カードリーダに送信するように更に構成される、ＮＦＣデバイス。
【請求項１２】
前記ＮＦＣ通信モジュールによって受信された前記取引命令が非接触アプリケーションの識別情報及び取引金額情報を伝達し、前記非接触アプリケーションが前記カードリーダに対応する非接触アプリケーションであり、
前記インテリジェント端末が、少なくとも１つの非接触アプリケーションの識別情報及び前記少なくとも１つの非接触アプリケーションの口座残高情報を記憶する、請求項１１に記載のＮＦＣデバイス。
【請求項１３】
前記インテリジェント端末が、前記ブルートゥース通信モジュールによって送信された前記取引命令において伝達された前記非接触アプリケーションの前記識別情報に従って前記非接触アプリケーションの口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース通信モジュールによって受信される前記応答メッセージを生成する、請求項１２に記載のＮＦＣデバイス。
【請求項１４】
前記ブルートゥース通信モジュールによって受信される前記応答メッセージが取引成功情報又は取引失敗情報を伝達し、
前記取引成功情報が、前記非接触アプリケーションの前記口座残高情報が前記非接触アプリケーションの前記取引金額情報以上であると前記インテリジェント端末が判定した後に生成され、
前記取引失敗情報が、前記非接触アプリケーションの前記口座残高情報が前記非接触アプリケーションの前記取引金額情報未満であると前記インテリジェント端末が判定した後に生成される、請求項１３に記載のＮＦＣデバイス。
【請求項１５】
前記インテリジェント端末がセキュアエレメントＳＥを備え、前記ＳＥが、前記少なくとも１つの非接触アプリケーションの前記識別情報及び前記少なくとも１つの非接触アプリケーションの前記口座残高情報を記憶し、前記ＳＥが、加入者識別モジュールＳＩＭカード、ユーザ識別モジュールＵＩＭカード、セキュアデジタルメモリカードＳＤ、又は前記インテリジェント端末のうちの少なくとも１つに組み込まれ、
前記インテリジェント端末が複数のＳＥを備える場合、前記インテリジェント端末が前記ブルートゥース通信モジュールによって送信された前記取引命令において伝達された前記非接触アプリケーションの前記識別情報に従って前記非接触アプリケーションに対応するＳＥを判定し、
前記インテリジェント端末が、前記ＳＥにおいて、前記取引命令において伝達された前記非接触アプリケーションの前記識別情報に従って前記非接触アプリケーションの前記口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース通信モジュールによって受信される前記応答メッセージを生成する、請求項１２から請求項１４のいずれか一項に記載のＮＦＣデバイス。
【発明の詳細な説明】
【技術分野】
【０００１】
本発明は、情報技術の分野、詳細にはモバイル決済方法及び装置、並びに近距離無線通信（英語：Near  Field  Communication、略してＮＦＣ）デバイスに関する。
【背景技術】
【０００２】
スマートフォンの普及とともに、モバイル決済がより広範囲に使用されている。既存のモバイル決済は、主にＮＦＣ決済、カード読み取り決済、及びアプリケーション決済を含む。ＮＦＣ決済は、短距離無線接続技術であり、この技術は、電子デバイス間の近距離通信を実施するために磁場誘導を使用する。ユーザは、ＮＦＣデバイスをカードリーダの近くに置くだけでよく、モバイル決済が実施されることができる。
【０００３】
現在、モバイル決済を実施するための方法に従って、ＮＦＣ機能を有する携帯電話がＮＦＣデバイスとして使用されている。モバイル決済のプロセスは、具体的には下記のとおりである。ユーザは、ＮＦＣ機能を有する携帯電話をカードリーダの近くに置いてカードリーダによって送信される取引命令を受信し、次いでＮＦＣ機能を有する携帯電話が取引命令を処理し、カードリーダに処理結果を返し、それによりＮＦＣデバイスを使用することによってモバイル決済を実施する。
【０００４】
しかしながら、ＮＦＣ機能を有する携帯電話を使用することによってモバイル決済が実施される場合、バスカードなどの別の現在の決済デバイスと比較して、携帯電話は、より大きな体積を有するとともに可搬性がより劣り、そのために、ＮＦＣ携帯電話を使用することによってモバイル決済を実施する柔軟性がより劣ることになる。
【発明の概要】
【０００５】
本発明は、モバイル決済の柔軟性を改善することが可能なモバイル決済方法及び装置、並びに近距離無線通信デバイスを提供する。
【０００６】
本発明において使用される技術的解決法は、下記のとおりである。
【０００７】
第１の態様によれば、本発明は、モバイル決済方法であって、近距離無線通信ＮＦＣデバイスにより、カードリーダによって送信された取引命令を、ＮＦＣを使用することによって受信するステップと、前記ＮＦＣデバイスにより、前記取引命令を、ブルートゥースを使用することによってインテリジェント端末に送信するステップと、前記ＮＦＣデバイスにより、前記インテリジェント端末によって送信された応答メッセージを、前記ブルートゥースを使用することによって受信するステップであって、前記応答メッセージが前記取引命令に従って前記インテリジェント端末によって生成される、ステップと、前記ＮＦＣデバイスにより、前記応答メッセージを、前記ＮＦＣを使用することによって前記カードリーダに送信するステップとを含む、方法を提供する。
【０００８】
第１の態様に関連して、第１の態様の第１の可能な実施方法において、前記取引命令は非接触アプリケーションの識別情報及び取引金額情報を伝達し、前記非接触アプリケーションは前記カードリーダに対応する非接触アプリケーションであり、前記インテリジェント端末は、少なくとも１つの非接触アプリケーションの識別情報及び前記少なくとも１つの非接触アプリケーションの口座残高情報を記憶する。
【０００９】
第１の態様の第１の可能な実施方法に関連して、第１の態様の第２の可能な実施方法において、前記応答メッセージが前記取引命令に従って前記インテリジェント端末によって生成されるということは、具体的には、前記インテリジェント端末が、前記取引命令において伝達された前記非接触アプリケーションの前記識別情報に従って前記非接触アプリケーションの口座残高情報を判定し、前記インテリジェント端末が、前記非接触アプリケーションの前記口座残高情報、及び前記取引命令において伝達された前記非接触アプリケーションの前記取引金額情報に従って取引処理を行い、次いで前記応答メッセージを生成することである。
【００１０】
第１の態様の第２の可能な実施方法に関連して、第１の態様の第３の可能な実施方法において、前記応答メッセージは、取引成功情報又は取引失敗情報を伝達し、前記取引成功情報は、前記非接触アプリケーションの前記口座残高情報が前記非接触アプリケーションの前記取引金額情報以上であると前記インテリジェント端末が判定した後に生成され、前記取引失敗情報は、前記非接触アプリケーションの前記口座残高情報が前記非接触アプリケーションの前記取引金額情報未満であると前記インテリジェント端末が判定した後に生成される。
【００１１】
第１の態様の第１の可能な実施方法、第１の態様の第２の可能な実施方法、又は第１の態様の第３の可能な実施方法に関連して、第１の態様の第４の可能な実施方法において、前記インテリジェント端末はセキュアエレメントＳＥを含み、前記ＳＥは、前記少なくとも１つの非接触アプリケーションの前記識別情報及び前記少なくとも１つの非接触アプリケーションの前記口座残高情報を記憶し、前記ＳＥは、加入者識別モジュールＳＩＭカード、ユーザ識別モジュールＵＩＭカード、セキュアデジタルカードＳＤ、又は前記インテリジェント端末のうちの少なくとも１つに組み込まれ、前記インテリジェント端末が複数のＳＥを含む場合、前記応答メッセージが前記取引命令に従って前記インテリジェント端末によって生成されるということは、具体的には、前記インテリジェント端末が、前記取引命令において伝達された前記非接触アプリケーションの前記識別情報に従って前記非接触アプリケーションに対応するＳＥを判定し、前記インテリジェント端末が、前記ＳＥにおいて、前記取引命令において伝達された前記非接触アプリケーションの前記識別情報に従って前記非接触アプリケーションの前記口座残高情報を判定し、前記インテリジェント端末が、前記非接触アプリケーションの前記口座残高情報、及び前記取引命令において伝達された前記非接触アプリケーションの前記取引金額情報に従って取引処理を行い、次いで前記応答メッセージを生成することである。
【００１２】
第２の態様によれば、本発明は、モバイル決済装置であって、カードリーダによって送信された取引命令を、ＮＦＣを使用することによって受信するように構成されるＮＦＣ受信ユニットと、前記ＮＦＣ受信ユニットによって受信された前記取引命令を、ブルートゥースを使用することによってインテリジェント端末に送信するように構成されるブルートゥース送信ユニットと、前記インテリジェント端末によって送信された応答メッセージを、前記ブルートゥースを使用することによって受信するように構成されるブルートゥース受信ユニットであって、前記応答メッセージが前記ブルートゥース送信ユニットによって送信された前記取引命令に従って前記インテリジェント端末によって生成される、ブルートゥース受信ユニットと、前記ブルートゥース受信ユニットによって受信された前記応答メッセージを、前記ＮＦＣを使用することによって前記カードリーダに送信するように構成されるＮＦＣ送信ユニットとを含む、装置を提供する。
【００１３】
第２の態様に関連して、第２の態様の第１の可能な実施方法において、前記ＮＦＣ受信ユニットによって受信された前記取引命令は非接触アプリケーションの識別情報及び取引金額情報を伝達し、前記非接触アプリケーションは前記カードリーダに対応する非接触アプリケーションであり、前記インテリジェント端末は、少なくとも１つの非接触アプリケーションの識別情報及び前記少なくとも１つの非接触アプリケーションの口座残高情報を記憶する。
【００１４】
第２の態様の第１の可能な実施方法に関連して、第２の態様の第２の可能な実施方法において、前記インテリジェント端末は、前記ブルートゥース送信ユニットによって送信された前記取引命令において伝達された前記非接触アプリケーションの前記識別情報に従って前記非接触アプリケーションの口座残高情報を判定し、前記インテリジェント端末は、前記非接触アプリケーションの前記口座残高情報、及び前記取引命令において伝達された前記非接触アプリケーションの前記取引金額情報に従って取引処理を行い、次いで、前記ブルートゥース受信ユニットによって受信される前記応答メッセージを生成する。
【００１５】
第２の態様の第２の可能な実施方法に関連して、第２の態様の第３の可能な実施方法において、前記ブルートゥース受信ユニットによって受信される前記応答メッセージは取引成功情報又は取引失敗情報を伝達し、前記取引成功情報は、前記非接触アプリケーションの前記口座残高情報が前記非接触アプリケーションの前記取引金額情報以上であると前記インテリジェント端末が判定した後に生成され、前記取引失敗情報は、前記非接触アプリケーションの前記口座残高情報が前記非接触アプリケーションの前記取引金額情報未満であると前記インテリジェント端末が判定した後に生成される。
【００１６】
第２の態様の第１の可能な実施方法、第２の態様の第２の可能な実施方法、又は第２の態様の第３の可能な実施方法に関連して、第２の態様の第４の可能な実施方法において、前記インテリジェント端末はセキュアエレメントＳＥを含み、前記ＳＥは、前記少なくとも１つの非接触アプリケーションの前記識別情報及び前記少なくとも１つの非接触アプリケーションの前記口座残高情報を記憶し、前記ＳＥは、加入者識別モジュールＳＩＭカード、ユーザ識別モジュールＵＩＭカード、セキュアデジタルメモリカードＳＤ、又は前記インテリジェント端末のうちの少なくとも１つに組み込まれ、前記インテリジェント端末が複数のＳＥを含む場合、前記インテリジェント端末は前記ブルートゥース送信ユニットによって送信された前記取引命令において伝達された前記非接触アプリケーションの前記識別情報に従って前記非接触アプリケーションに対応するＳＥを判定し、前記インテリジェント端末は、前記ＳＥにおいて、前記取引命令において伝達された前記非接触アプリケーションの前記識別情報に従って前記非接触アプリケーションの前記口座残高情報を判定し、前記インテリジェント端末は、前記非接触アプリケーションの前記口座残高情報、及び前記取引命令において伝達された前記非接触アプリケーションの前記取引金額情報に従って取引処理を行い、次いで、前記ブルートゥース受信ユニットによって受信される前記応答メッセージを生成する。
【００１７】
第３の態様によれば、本発明は、近距離無線通信ＮＦＣデバイスであって、カードリーダによって送信された取引命令を、ＮＦＣを使用することによって受信するように構成されるＮＦＣ通信モジュールと、前記ＮＦＣ通信モジュールによって受信された前記取引命令を、ブルートゥース通信モジュールに転送するように構成されるプロセッサと、前記ＮＦＣ通信モジュールによって受信された前記取引命令を、ブルートゥースを使用することによってインテリジェント端末に送信し、前記インテリジェント端末によって送信された応答メッセージを、前記ブルートゥースを使用することによって受信するように構成される前記ブルートゥース通信モジュールであって、前記応答メッセージが前記取引命令に従って前記インテリジェント端末によって生成される、前記ブルートゥース通信モジュールとを含み、前記プロセッサが、前記ブルートゥース通信モジュールによって受信された前記応答メッセージを、前記ＮＦＣ通信モジュールに転送するように更に構成され、前記ＮＦＣ通信モジュールが、前記ブルートゥース通信モジュールによって受信された前記応答メッセージを、前記ＮＦＣを使用することによって前記カードリーダに送信するように更に構成される、ＮＦＣデバイスを提供する。
【００１８】
第３の態様に関連して、第３の態様の第１の可能な実施方法において、前記ＮＦＣ通信モジュールによって受信された前記取引命令は非接触アプリケーションの識別情報及び取引金額情報を伝達し、前記非接触アプリケーションは前記カードリーダに対応する非接触アプリケーションであり、前記インテリジェント端末は、少なくとも１つの非接触アプリケーションの識別情報及び前記少なくとも１つの非接触アプリケーションの口座残高情報を記憶する。
【００１９】
第３の態様の第１の可能な実施方法に関連して、第３の態様の第２の可能な実施方法において、前記インテリジェント端末は、前記ブルートゥース通信モジュールによって送信された前記取引命令において伝達された前記非接触アプリケーションの前記識別情報に従って前記非接触アプリケーションの口座残高情報を判定し、前記インテリジェント端末は、前記非接触アプリケーションの前記口座残高情報、及び前記取引命令において伝達された前記非接触アプリケーションの前記取引金額情報に従って取引処理を行い、次いで、前記ブルートゥース通信モジュールによって受信される前記応答メッセージを生成する。
【００２０】
第３の態様の第２の可能な実施方法に関連して、第３の態様の第３の可能な実施方法において、前記ブルートゥース通信モジュールによって受信される前記応答メッセージは取引成功情報又は取引失敗情報を伝達し、前記取引成功情報は、前記非接触アプリケーションの前記口座残高情報が前記非接触アプリケーションの前記取引金額情報以上であると前記インテリジェント端末が判定した後に生成され、前記取引失敗情報は、前記非接触アプリケーションの前記口座残高情報が前記非接触アプリケーションの前記取引金額情報未満であると前記インテリジェント端末が判定した後に生成される。
【００２１】
第３の態様の第１の可能な実施方法、第３の態様の第２の可能な実施方法、又は第３の態様の第３の可能な実施方法に関連して、第３の態様の第４の可能な実施方法において、前記インテリジェント端末はセキュアエレメントＳＥを含み、前記ＳＥは、前記少なくとも１つの非接触アプリケーションの前記識別情報及び前記少なくとも１つの非接触アプリケーションの前記口座残高情報を記憶し、前記ＳＥは、加入者識別モジュールＳＩＭカード、ユーザ識別モジュールＵＩＭカード、セキュアデジタルメモリカードＳＤ、又は前記インテリジェント端末のうちの少なくとも１つに組み込まれ、前記インテリジェント端末が複数のＳＥを含む場合、前記インテリジェント端末は前記ブルートゥース通信モジュールによって送信された前記取引命令において伝達された前記非接触アプリケーションの前記識別情報に従って前記非接触アプリケーションに対応するＳＥを判定し、前記インテリジェント端末は、前記ＳＥにおいて、前記取引命令において伝達された前記非接触アプリケーションの前記識別情報に従って前記非接触アプリケーションの前記口座残高情報を判定し、前記インテリジェント端末は、前記非接触アプリケーションの前記口座残高情報、及び前記取引命令において伝達された前記非接触アプリケーションの前記取引金額情報に従って取引処理を行い、次いで、前記ブルートゥース通信モジュールによって受信される前記応答メッセージを生成する。
【００２２】
本発明において提供されるモバイル決済方法及び装置、並びに近距離無線通信デバイスによれば、ＮＦＣデバイスは、最初に、カードリーダによって送信された取引命令を、ＮＦＣを使用することによって受信し、次いで、取引命令を、ブルートゥースを使用することによってインテリジェント端末に送信し、インテリジェント端末によって送信された応答メッセージを、ブルートゥースを使用することによって受信し、ここで応答メッセージは、取引命令に従ってインテリジェント端末によって生成され、最後に、応答メッセージを、ＮＦＣを使用することによってカードリーダに送信する。ＮＦＣ機能を有するインテリジェント端末を使用することによって直接実施される既存のモバイル決済と比較して、本発明では、ＮＦＣデバイスは、カードリーダによって送信された取引命令をインテリジェント端末に転送し、インテリジェント端末によって送信された応答メッセージをカードリーダに転送し、それにより、ユーザは、柔軟性により劣るインテリジェント端末を使用することによってモバイル決済を直接行うことを免れ、すなわち、ユーザは、柔軟性により優れたＮＦＣデバイスをカードリーダの近くに置くだけでよく、モバイル決済が実施されることができる。したがって、モバイル決済の柔軟性が改善されることができ、さらに、ユーザ体験が改善されることができる。
【００２３】
本発明におけるか又は従来技術における技術的解決法をより明確に説明するために、下記は、本発明又は従来技術を説明するために必要とされる添付図面を簡単に説明する。明らかに、下記の説明における添付図面は本発明の単にいくつかの実施例を表すとともに、当業者は、創造的な努力なしでこれらの添付図面から更に他の図面を導き出し得る。
【図面の簡単な説明】
【００２４】
【図１】本発明の実施例によるモバイル決済方法のフローチャートである。
【図２】本発明の実施例による別のモバイル決済方法のフローチャートである。
【図３】本発明の実施例によるモバイル決済のためのハードウェア構造の概略図である。
【図４】本発明の実施例によるモバイル決済のための別のハードウェア構造の概略図である。
【図５】本発明の実施例によるモバイル決済装置の概略構造図である。
【図６】本発明の実施例によるＮＦＣデバイスの概略構造図である。
【発明を実施するための形態】
【００２５】
下記は、本発明の実施例における添付図面を参照して、本発明の実施例における技術的解決法を明確かつ完全に説明する。明らかに、説明される実施例は本発明の実施例の全てではなく単に一部である。本発明の実施例に基づいて、創造的な努力なしで当業者により取得される他の全ての実施例は、本発明の保護範囲に含まれるものとする。
【００２６】
本発明の実施例は、モバイル決済方法を提供し、本方法は、モバイル決済の柔軟性を改善することができる。図１に示されるように、本方法は、下記のステップを含む。
【００２７】
１０１．ＮＦＣデバイスは、カードリーダによって送信された取引命令を、ＮＦＣを使用することによって受信する。
【００２８】
取引命令は、非接触アプリケーションのための取引処理を行うために使用される。本発明の本実施例では、取引命令は、非接触アプリケーションの識別情報及び取引金額情報を伝達することができる。
【００２９】
本発明の本実施例に関して、取引命令は、料金控除処理、再入金処理、及びボーナスポイント処理などの取引処理を非接触アプリケーション上で行うために、特に使用されてもよい。例えば、取引命令は、非接触アプリケーションのための料金控除処理を行うために使用されてもよい。この場合、取引命令において伝達される非接触アプリケーションの識別情報は、「バスカードアプリケーション」に対応する識別情報であってもよく、取引コマンドにおいて伝達される取引金額情報は、「１元の料金を控除すること」であってもよい。別の例に関して、取引命令は、非接触アプリケーションのための再入金処理を行うために使用されてもよい。この場合、取引命令において伝達される非接触アプリケーションの識別情報は、「電話機カードアプリケーション」に対応する識別情報であってもよく、取引コマンドにおいて伝達される取引金額情報は「１００元を再入金すること」であってもよい。更に別の例に関して、取引命令は、非接触アプリケーションのためのボーナスポイント処理を行うために使用されてもよい。この場合、取引命令において伝達される非接触アプリケーションの識別情報は、「会員カードアプリケーション」に対応する識別情報であってもよく、取引コマンドにおいて伝達される取引金額情報は、「２０ポイントのボーナス」であってもよい。
【００３０】
１０２．ＮＦＣデバイスは、取引命令を、ブルートゥースを使用することによってインテリジェント端末に送信する。
【００３１】
さらに、取引命令は、ＮＦＣデバイスを使用することによってインテリジェント端末に送信され、それにより、インテリジェント端末は、取引命令に関する取引処理を行うことができる。
【００３２】
１０３．ＮＦＣデバイスは、インテリジェント端末によって送信された応答メッセージを、ブルートゥースを使用することによって受信する。
【００３３】
応答メッセージは、取引命令に従ってインテリジェント端末によって生成される。具体的には、インテリジェント端末は、最初に、取引命令において伝達された非接触アプリケーションの識別情報に従って非接触アプリケーションの口座残高情報を判定し、次いで、非接触アプリケーションの口座残高情報、及び取引命令において伝達された非接触アプリケーションの取引金額情報に従って取引処理を行い、次に応答メッセージを生成する。
【００３４】
１０４．ＮＦＣデバイスは、応答メッセージを、ＮＦＣを使用することによってカードリーダに送信する。
【００３５】
本発明の本実施例において提供されるモバイル決済方法によれば、ＮＦＣデバイスは、最初に、カードリーダによって送信された取引命令を、ＮＦＣを使用することによって受信し、次いで、取引命令を、ブルートゥースを使用することによってインテリジェント端末に送信し、インテリジェント端末によって送信された応答メッセージを、ブルートゥースを使用することによって受信し、ここで応答メッセージは、取引命令に従ってインテリジェント端末によって生成され、最後に、応答メッセージを、ＮＦＣを使用することによってカードリーダに送信する。ＮＦＣ機能を有するインテリジェント端末を使用することによって直接実施される既存のモバイル決済と比較して、本発明の本実施例では、ＮＦＣデバイスは、カードリーダによって送信された取引命令をインテリジェント端末に転送し、インテリジェント端末によって送信された応答メッセージをカードリーダに転送し、それにより、ユーザは、柔軟性により劣るインテリジェント端末を使用することによってモバイル決済を直接行うことを免れ、すなわち、ユーザは、柔軟性により優れたＮＦＣデバイスをカードリーダの近くに置くだけでよく、モバイル決済が実施されることができる。したがって、モバイル決済の柔軟性が改善されることができ、さらに、ユーザ体験が改善されることができる。
【００３６】
図１に示される方法の特定の説明に関して、本発明の実施例は、別のモバイル決済方法を提供する。図２に示されるように、本方法は、下記のステップを含む。
【００３７】
２０１．ＮＦＣデバイスは、カードリーダによって送信された取引命令を、ＮＦＣを使用することによって受信する。
【００３８】
取引命令は、非接触アプリケーションの識別情報及び取引金額情報を伝達し、ここで非接触アプリケーションは、カードリーダに対応する非接触アプリケーションである。本発明の本実施例では、インテリジェント端末は、少なくとも１つの非接触アプリケーションの識別情報及び少なくとも１つの非接触アプリケーションの口座残高情報を記憶する。
【００３９】
本発明の本実施例に関して、取引命令は、料金控除処理、再入金処理、及びボーナスポイント処理などの取引処理を非接触アプリケーション上で行うために、特に使用されてもよい。例えば、取引命令は、非接触アプリケーションのための料金控除処理を行うために使用されてもよい。この場合、取引命令において伝達される非接触アプリケーションの識別情報は、「バスカードアプリケーション」であってもよく、取引コマンドにおいて伝達される取引金額情報は、「１元の料金を控除すること」であってもよい。別の例に関して、取引命令は、非接触アプリケーションのための再入金処理を行うために使用されてもよい。この場合、取引命令において伝達される非接触アプリケーションの識別情報は、「電話機カードアプリケーション」であってもよく、取引コマンドにおいて伝達される取引金額情報は、「１００元を再入金すること」であってもよい。更に別の例に関して、取引命令は、非接触アプリケーションのためのボーナスポイント処理を行うために使用されてもよい。この場合、取引命令において伝達される非接触アプリケーションの識別情報は、「会員カードアプリケーション」であってもよく、取引コマンドにおいて伝達される取引金額情報は、「２０ポイントのボーナス」であってもよい。
【００４０】
本発明の本実施例に関して、カードリーダとＮＦＣデバイスとの間の通信は、ＮＦＣ技術を使用することによって行われてもよく、ここで、ＮＦＣ技術は、ＲＦＩＤ技術から進化した短距離無線接続技術である。本発明の本実施例では、カードリーダ及びＮＦＣデバイスはそれぞれ、非接触フロントエンド（英語：Contactless  Frontend、略してＣＬＦ）及びＮＦＣアンテナを有する。ＣＬＦ（すなわち、ＮＦＣチップ又はＮＦＣコントローラ）は、非接触無線周波数インタフェース及び通信プロトコルを処理するように構成される。ＮＦＣアンテナは、近距離結合アンテナであり、ＮＦＣ技術において信号を受信又は送信するために使用される。
【００４１】
本発明の本実施例では、カードリーダは、取引命令を生成し、送信するデバイスである。例えば、カードリーダは、バスの中でバスカードを読み取り機に通すように構成されたデバイスであってもよい。この場合、カードリーダによって生成され、送信される取引命令は、「バスカードアプリケーション」のための料金控除処理を行うために使用される。また、本発明の本実施例では、非接触アプリケーションは、メトロカードアプリケーション、ショッピングカードアプリケーション、フィットネスカードアプリケーション、食事カードアプリケーション、ポイントカードアプリケーション、再入金可能カードアプリケーションなどであってもよい。
【００４２】
カードリーダは、バスの中でバスカードを読み取り機に通すように構成された前述のデバイスに限定されず、取引命令もまた、「バスカードアプリケーション」のための前述の料金控除処理に限定されない、という点に注意が必要である。ＮＦＣを使用することによってカードリーダとＮＦＣデバイスとの間の通信を行うことができるその他のシナリオが、本発明の本実施例に適用可能である。例えば、カードリーダは、商店において、ボーナスポイント処理を行うように構成されるデバイスであってもよい。この場合、カードリーダによって生成され、送信される取引命令は、「ポイントカードアプリケーション」のためのボーナスポイント処理を行うために使用されてもよい。
【００４３】
２０２．ＮＦＣデバイスは、取引命令を、ブルートゥースを使用することによってインテリジェント端末に送信する。
【００４４】
さらに、取引命令は、ＮＦＣデバイスを使用することによってインテリジェント端末に送信され、それにより、インテリジェント端末は、取引命令に関する取引処理を行うことができる。
【００４５】
２０３．ＮＦＣデバイスは、インテリジェント端末によって送信された応答メッセージを、ブルートゥースを使用することによって受信する。
【００４６】
応答メッセージは、取引命令に従ってインテリジェント端末によって生成される。
【００４７】
本発明の本実施例に関して、インテリジェント端末は、少なくとも１つの非接触アプリケーションの識別情報及び少なくとも１つの非接触アプリケーションの口座残高情報を記憶する。具体的には、インテリジェント端末は、最初に、取引命令において伝達される非接触アプリケーションの識別情報に従って非接触アプリケーションの口座残高情報を判定し、次いで、非接触アプリケーションの口座残高情報、及び取引命令において伝達された非接触アプリケーションの取引金額情報に従って取引処理を行い、次に応答メッセージを生成する。
【００４８】
例えば、取引命令において伝達された非接触アプリケーションの識別情報は、「バスカードアプリケーション」に対応する識別情報である。インテリジェント端末は、最初に、記憶された、少なくとも１つの非接触アプリケーションの識別情報及び少なくとも１つの非接触アプリケーションの口座残高情報において、「バスカードアプリケーション」の口座残高情報が「８０元」であると判定し、次いで、非接触アプリケーションの口座残高情報「８０元」、及び取引命令において伝達された非接触アプリケーションの取引金額情報「１元の料金を控除すること」に従って料金控除処理を行い、料金控除処理後に、「バスカードアプリケーション」の口座残高情報は、「７９元」となる。別の例に関して、取引命令において伝達される非接触アプリケーションの識別情報は、「ポイントカードアプリケーション」に対応する識別情報である。インテリジェント端末は、最初に、記憶された、少なくとも１つの非接触アプリケーションの識別情報及び少なくとも１つの非接触アプリケーションの口座残高情報において、「ポイントカードアプリケーション」の口座残高情報が「１０００ポイント」であると判定し、次いで、非接触アプリケーションの口座残高情報「１０００ポイント」、及び取引命令において伝達された非接触アプリケーションの取引金額情報「２０ポイントのボーナス」に従ってボーナスポイント処理を行い、ボーナスポイント処理後に、「ポイントカードアプリケーション」の口座残高情報は、「１０２０ポイント」となる。
【００４９】
本発明の本実施例に関して、応答メッセージは、取引成功情報又は取引失敗情報を伝達することができる。取引成功情報は、非接触アプリケーションの口座残高情報が非接触アプリケーションの取引金額情報以上であるとインテリジェント端末が判定した後に生成される。取引失敗情報は、非接触アプリケーションの口座残高情報が非接触アプリケーションの取引金額情報未満であるとインテリジェント端末が判定した後に生成される。
【００５０】
例えば、取引コマンドにおいて伝達される取引金額情報は、「１元の料金を控除すること」である。非接触アプリケーションの口座残高が「５０元」である場合は、インテリジェント端末は、非接触アプリケーションの口座残高情報が非接触アプリケーションの取引金額情報以上である、すなわち、非接触アプリケーションの口座残高が十分であると判定し、インテリジェント端末は、取引成功情報を生成し、非接触アプリケーションの口座残高が「０．５元」である場合は、インテリジェント端末は、非接触アプリケーションの口座残高情報が非接触アプリケーションの取引金額情報未満である、すなわち、非接触アプリケーションの口座残高が不十分であると判定し、インテリジェント端末は、取引失敗情報を生成する。
【００５１】
２０４．ＮＦＣデバイスは、応答メッセージを、ＮＦＣを使用することによってカードリーダに送信する。
【００５２】
本発明の本実施例に関して、インテリジェント端末は、セキュアエレメント（英語：Secure  Element、略してＳＥ）を含み、ここで、ＳＥは、少なくとも１つの非接触アプリケーションの識別情報及び少なくとも１つの非接触アプリケーションの口座残高情報を記憶する。本発明の本実施例では、ＳＥは、加入者識別モジュール（英語：Subscriber  Identity  Module、略してＳＩＭ）カード、ユーザ識別モジュール（英語：User  Identity  Module、略してＵＩＭ）カード、セキュアデジタルメモリカード（英語：Secure  Digital  Memory  Card、略してＳＤ）、及びインテリジェント端末のうちの少なくとも１つに組み込まれてもよい。
【００５３】
本発明の本実施例に関して、インテリジェント端末が複数のＳＥを含んでいる場合、インテリジェント端末は、最初に、取引命令において伝達された非接触アプリケーションの識別情報に従って非接触アプリケーションに対応するＳＥを判定し、次いで、ＳＥにおいて、取引命令において伝達された非接触アプリケーションの識別情報に従って非接触アプリケーションの口座残高情報を判定し、最後に、非接触アプリケーションの口座残高情報、及び取引命令において伝達された非接触アプリケーションの取引金額情報に従って取引処理を行い、次に応答メッセージを生成する。
【００５４】
例えば、あるＳＥがＳＩＭカードに組み込まれ、別のＳＥがインテリジェント端末に組み込まれている場合、ＳＩＭカードがインテリジェント端末に取り付けられた後、インテリジェント端末は、２つのＳＥを有する。この場合、ユーザの非接触アプリケーションと２つのＳＥとの間の対応関係をあらかじめ設定する必要がある。ユーザの非接触アプリケーションは、バスカードアプリケーション、メトロカードアプリケーション、ショッピングカードアプリケーション、食事カードアプリケーション、ポイントカードアプリケーション、及び再入金可能カードアプリケーションを含み、ここで、ＳＩＭカードに組み込まれたＳＥは、バスカードアプリケーション及びメトロカードアプリケーションの識別情報、並びにそれぞれの対応する口座残高情報を記憶しており、インテリジェント端末に組み込まれた別のＳＥは、ショッピングカードアプリケーション、食事カードアプリケーション、ポイントカードアプリケーション、及び再入金可能カードアプリケーションの識別情報、並びにそれぞれの対応する口座残高情報を記憶している、と仮定されている。取引命令において伝達された識別情報が「バスカードアプリケーション」に対応する識別情報である場合は、非接触アプリケーションに対応した、インテリジェント端末によって判定されるＳＥは、ＳＩＭカードに組み込まれたＳＥであり、取引命令において伝達された識別情報が「ショッピングカードアプリケーション」に対応する識別情報である場合は、非接触アプリケーションに対応した、インテリジェント端末によって判定されるＳＥは、インテリジェント端末に組み込まれた別のＳＥである。
【００５５】
本発明の本実施例では、非接触アプリケーションの識別情報及び非接触アプリケーションの口座残高情報は、前述のＳＥに記憶されることには限定されない、という点に注意が必要である。非接触アプリケーションの識別情報及び非接触アプリケーションの口座残高情報がインテリジェント端末に記憶されることを実施することができるその他の方法が本発明の本実施例に適用可能である。例えば、非接触アプリケーションの識別情報及び非接触アプリケーションの口座残高情報は、インテリジェント端末のアプリケーションプログラムに記憶される。
【００５６】
本発明の本実施例に関して、ＮＦＣデバイスは、ポータブルＮＦＣデバイスであってもよく、ポータブルＮＦＣデバイスは、ウェアラブルＮＦＣデバイスであってもよい。ウェアラブルＮＦＣデバイスは、指輪形状のＮＦＣデバイス、ハンドリング（hand  ring）形状のＮＦＣデバイス、リストストラップ形状のＮＦＣデバイスなどであってもよい。本発明の本実施例では、ポータブルＮＦＣデバイスは、カードリーダとインテリジェント端末との間のブリッジとして使用され、それは、ユーザが柔軟性により優れたＮＦＣデバイスを使用することによってカードリーダとの通信を実施することができ、それにより、ユーザ体験が改善され得ることを、実現することができる。
【００５７】
例えば、ＮＦＣデバイスは、ハンドリング形状のＮＦＣデバイスであってもよい。ユーザがバスの中でバスカードを読み取り機に通す動作を行う必要がある場合は、ユーザは、バスの中でハンドリング形状のＮＦＣデバイスをカードリーダの近くに置くだけでよく、バスカードを読み取り機に通す動作が実施されることができ、ユーザが再入金動作を行う必要がある場合は、ユーザは、ハンドリング形状のＮＦＣデバイスを対応するカードリーダの近くに置くだけでよく、再入金動作が実施されることができる。言いかえれば、ユーザがユーザの非接触アプリケーションをインテリジェント端末にあらかじめ設定し、これらの非接触アプリケーションのために、インテリジェント端末とハンドリング形状のＮＦＣデバイスとの間の無線接続を行った後、ユーザは、ハンドリング形状のＮＦＣデバイスをカードリーダの近くに置くだけでよく、対応する処理が実施されることができる。
【００５８】
ポータブルＮＦＣデバイスは、ウェアラブルＮＦＣデバイスに限定されず、ウェアラブルＮＦＣデバイスは、前述のハンドリング形状のＮＦＣデバイスに限定されない、という点に注意が必要である。ネックレス形状のＮＦＣデバイス又はキーホルダー形状のＮＦＣデバイスなどのその他のポータブルＮＦＣデバイスが、本発明の本実施例に適用可能である。
【００５９】
本発明の本実施例に関して、カードリーダ、ＮＦＣデバイス、及びインテリジェント端末のハードウェア構造の概略図を図３に示すことができる。カードリーダは、ＣＬＦ及びＮＦＣのアンテナを含むことができ、ポータブルＮＦＣデバイスは、ブルートゥース（英語：Blue  Tooth、略してＢＴ）モジュール、マイクロコントローラユニット（英語：Micro  Controller  Unit、略してＭＣＵ）、ＣＬＦ、及びＮＦＣアンテナを含むことができ、インテリジェント端末は、ＢＴモジュール、アプリケーションプロセッサ（英語：Application  Processor、略してＡＰ）、及びＳＩＭカードに組み込まれたセキュアエレメント（英語：Secure  Element、略してＳＥ）を含むことができる。
【００６０】
本発明の本実施例に関して、インテリジェント端末がＮＦＣインテリジェント端末である場合、カードリーダ、ＮＦＣデバイス、及びインテリジェント端末のハードウェア構造の概略図を図４に示すことができる。カードリーダは、ＣＬＦ及びＮＦＣアンテナを含むことができ、ポータブルＮＦＣデバイスは、ＢＴ、ＭＣＵ、ＣＬＦ、及びＮＦＣアンテナを含むことができ、ＮＦＣのインテリジェント端末は、ＢＴモジュール、ＡＰ、ＳＩＭカードに組み込まれたＳＥ、ＣＬＦ、及びＮＦＣアンテナを含むことができる。本発明の本実施例では、ＮＦＣインテリジェント端末は、ＮＦＣ機能を有するインテリジェント端末を指す。通常のインテリジェント端末と比較して、ＮＦＣインテリジェント端末は、ＣＬＦ及びＮＦＣのアンテナを含み、ここでＣＬＦは取引命令をＳＥに送信するために使用される。加えて、ＮＦＣインテリジェント端末が複数のＳＥを有する場合、ＣＬＦは、取引命令において伝達される非接触アプリケーションの識別子に対応するＳＥを選択するように更に構成される。
【００６１】
本発明の本実施例に関して、既存のＮＦＣインテリジェント端末は、ＮＦＣアンテナを使用することによって、カードリーダによって送信された取引命令を受信し、ＣＬＦを使用することによって、取引命令を対応するＳＥに送信することができる。本発明の本実施例では、取引命令が、ＮＦＣインテリジェント端末に含まれるＣＬＦを使用することによってＳＥに送信されることは、ＮＦＣ機能を有するインテリジェント端末の既存のモバイル決済処理手順と同様であり、それにより、既存のプロトコルに対する修正を低減させることができる。
【００６２】
具体的には、本発明の本実施例では、インテリジェント端末がＮＦＣインテリジェント端末である場合、最初に、ＮＦＣデバイスにより送信された取引命令が、ＮＦＣインテリジェント端末のＢＴモジュールを使用することによって受信され、取引命令がＮＦＣインテリジェント端末のＡＰに送信され、次いで、ＮＦＣインテリジェント端末のＡＰが取引命令に従って対応する非接触アプリケーションを判定し、対応する非接触アプリケーションを使用することによって、取引命令をＮＦＣインテリジェント端末のＣＬＦに転送し、最後に、非接触アプリケーションに対応するＳＥが、取引命令に従ってＮＦＣインテリジェント端末のＣＬＦによって判定され、取引命令がＳＥへ送信され、それにより、ＳＥが取引処理を行う。しかしながら、従来技術では、ＮＦＣインテリジェント端末が、最初にカードリーダに近づく必要があり、カードリーダによって送信された取引命令は、ＮＦＣインテリジェント端末のアンテナを使用することによって受信され、次いで、ＮＦＣインテリジェント端末のアンテナが取引命令をＮＦＣインテリジェント端末のＣＬＦに送信し、最後に、ＮＦＣインテリジェント端末のＣＬＦが、取引命令に従って非接触アプリケーションに対応するＳＥを判定し、取引命令をＳＥに送信し、それにより、ＳＥが取引処理を行う。
【００６３】
本発明の本実施例に関して、図３に示されるように、インテリジェント端末がＮＦＣインテリジェント端末でない場合は、最初に、ＮＦＣデバイスにより送信された取引命令が、インテリジェント端末のＢＴモジュールを使用することによって受信され、取引命令が、ＮＦＣインテリジェント端末のＡＰに送信され、次いで、ＮＦＣインテリジェント端末のＡＰが取引命令に従って対応するＳＥを判定し、取引命令をＳＥに送信し、それにより、ＳＥが取引処理を行い、ＳＥが対応する非接触アプリケーションを判定する。図４に示されるように、インテリジェント端末がＮＦＣインテリジェント端末である場合は、最初に、ＮＦＣデバイスにより送信された取引命令が、ＮＦＣインテリジェント端末のＢＴモジュールによって受信され、取引命令がＮＦＣインテリジェント端末のＡＰに送信され、次いで、ＮＦＣインテリジェント端末のＡＰが取引命令に従って非接触アプリケーションに対応するアプリケーションプログラムを判定し、ここで非接触アプリケーションに対応するアプリケーションプログラムはＡＰに常駐し、取引命令は、対応するアプリケーションプログラムを使用することによってＮＦＣインテリジェント端末のＣＬＦに転送され、最後に、ＮＦＣインテリジェント端末のＣＬＦが、取引命令に従って非接触アプリケーションに対応するＳＥを判定し、取引命令をＳＥに送信し、それにより、ＳＥが取引処理を行う。
【００６４】
ポータブルＮＦＣデバイスのプロセッサは、前述のＭＣＵに限定されない、という点に注意が必要である。ポータブルＮＦＣデバイスへ組み込むことができるその他のプロセッサも本発明の本実施例に適用可能である。ＳＥは、ＳＩＭカードに組み込まれることに限定されない。ＳＥがインテリジェント端末に組み込まれるその他の方法も、本発明の本実施例に適用可能であり、例えば、ＳＥは、ＵＩＭカード、ＳＤカード、又はインテリジェント端末に組み込まれる。
【００６５】
本発明の本実施例において提供されるモバイル決済方法によれば、ＮＦＣデバイスは、最初に、カードリーダによって送信された取引命令を、ＮＦＣを使用することによって受信し、次いで、取引命令を、ブルートゥースを使用することによってインテリジェント端末に送信し、インテリジェント端末によって送信された応答メッセージを、ブルートゥースを使用することによって受信し、ここで応答メッセージは、取引命令に従ってインテリジェント端末によって生成され、最後に、応答メッセージを、ＮＦＣを使用することによってカードリーダに送信する。ＮＦＣ機能を有するインテリジェント端末を使用することによって直接実施される既存のモバイル決済と比較して、本発明の本実施例では、ＮＦＣデバイスは、カードリーダによって送信された取引命令をインテリジェント端末に転送し、インテリジェント端末によって送信された応答メッセージをカードリーダに転送し、それにより、ユーザは、柔軟性により劣るインテリジェント端末を使用することによってモバイル決済を直接行うことを免れ、すなわち、ユーザは、柔軟性により優れたＮＦＣデバイスをカードリーダの近くに置くだけでよく、モバイル決済が実施されることができる。したがって、モバイル決済の柔軟性が改善されることができ、さらに、ユーザ体験が改善されることができる。
【００６６】
さらに、本発明の本実施例において提供されるモバイル決済方法によれば、ポータブルＮＦＣデバイスは、カードリーダとインテリジェント端末との間のブリッジとして使用され、それは、ユーザ体験を改善するようにユーザが柔軟性により優れたＮＦＣデバイスを使用することによってカードリーダとインテリジェント端末との間の通信を実施することできることを、実現することができる。取引命令が、ＮＦＣインテリジェント端末に含まれるＣＬＦを使用することによってＳＥに送信されることは、ＮＦＣ機能を有するインテリジェント端末の既存のモバイル決済処理手順に類似しており、それにより、既存のプロトコルに対する修正を低減させることができる。
【００６７】
さらに、図１及び図２に示される方法の実装例に関して、本発明の実施例は、モバイル決済の柔軟性を改善するように構成されるモバイル決済装置を更に提供する。図５に示されるように、装置５０は、ＮＦＣ受信ユニット５１と、ブルートゥース送信ユニット５２と、ブルートゥース受信ユニット５３と、ＮＦＣ送信ユニット５４とを含む。
【００６８】
ＮＦＣ受信ユニット５１は、カードリーダによって送信された取引命令を、ＮＦＣを使用することによって受信するように構成される。
【００６９】
ブルートゥース送信ユニット５２は、ＮＦＣ受信ユニット５１によって受信された取引命令を、ブルートゥースを使用することによってインテリジェント端末に送信するように構成される。
【００７０】
ブルートゥース受信ユニット５３は、インテリジェント端末によって送信された応答メッセージを、ブルートゥースを使用することによって受信するように構成される。
【００７１】
応答メッセージは、ブルートゥース送信ユニット５２によって送信された取引命令に従ってインテリジェント端末によって生成される。
【００７２】
ＮＦＣ送信ユニット５４は、ブルートゥース受信ユニット５３によって受信された応答メッセージを、ＮＦＣを使用することによってカードリーダに送信するように構成される。
【００７３】
ＮＦＣ受信ユニット５１によって受信された取引命令は、非接触アプリケーションの識別情報及び取引金額情報を伝達し、ここで、非接触アプリケーションは、カードリーダに対応する非接触通信アプリケーションである。
【００７４】
任意選択で、インテリジェント端末は、少なくとも１つの非接触アプリケーションの識別情報、及び少なくとも１つの非接触アプリケーションの口座残高情報を記憶する。本発明の本実施例に関して、インテリジェント端末は、最初に、ブルートゥース送信ユニット５２によって送信された取引命令において伝達された非接触アプリケーションの識別情報に従って、非接触アプリケーションの口座残高情報を判定し、次いで、非接触アプリケーションの口座残高情報、及び取引命令において伝達された非接触アプリケーションの取引金額情報に従って取引処理を行い、次にブルートゥース受信ユニットによって受信される応答メッセージを生成する。
【００７５】
ブルートゥース受信ユニット５３によって受信される応答メッセージは、取引成功情報又は取引失敗情報を伝達する。
【００７６】
取引成功情報は、非接触アプリケーションの口座残高情報が非接触アプリケーションの取引金額情報以上であるとインテリジェント端末が判定した後に生成される。取引失敗情報は、非接触アプリケーションの口座残高情報が非接触アプリケーションの取引金額情報未満であるとインテリジェント端末が判定した後に生成される。
【００７７】
任意選択で、インテリジェント端末は、セキュアエレメントＳＥを含んでもよく、ここで、ＳＥは、少なくとも１つの非接触アプリケーションの識別情報及び少なくとも１つの非接触アプリケーションの口座残高情報を記憶し、ＳＥは、加入者識別モジュールＳＩＭカード、ユーザ識別モジュールＵＩＭカード、セキュアデジタルメモリカードＳＤ、又はインテリジェント端末のうちの少なくとも１つに組み込まれる。
【００７８】
本発明の本実施例に関して、インテリジェント端末が複数のＳＥを含んでいる場合、インテリジェント端末は、最初に、ブルートゥース送信ユニット５２によって送信された取引命令において伝達された非接触アプリケーションの識別情報に従って非接触アプリケーションに対応するＳＥを判定し、次いで、ＳＥにおいて、取引命令において伝達される非接触アプリケーションの識別情報に従って非接触アプリケーションの口座残高情報を判定し、最後に、非接触アプリケーションの口座残高情報、及び取引命令において伝達された非接触アプリケーションの取引金額情報に従って取引処理を行い、次にブルートゥース受信ユニットによって受信される応答メッセージを生成する。
【００７９】
本発明の本実施例において提供されるモバイル決済装置によれば、最初に、カードリーダによって送信された取引命令は、ＮＦＣを使用することによって受信され、次いで、取引命令がブルートゥースを使用することによってインテリジェント端末に送信され、インテリジェント端末によって送信された応答メッセージがブルートゥースを使用することによって受信され、ここで、応答メッセージは、取引命令に従ってインテリジェント端末によって生成され、最後に、応答メッセージがＮＦＣを使用することによってカードリーダに送信される。ＮＦＣ機能を有するインテリジェント端末を使用することによって直接実施される既存のモバイル決済と比較して、本発明の本実施例では、ＮＦＣデバイスは、カードリーダによって送信された取引命令をインテリジェント端末に転送し、インテリジェント端末によって送信された応答メッセージをカードリーダに転送し、それにより、ユーザは、柔軟性により劣るインテリジェント端末を使用することによってモバイル決済を直接行うことを免れ、すなわち、ユーザは、柔軟性により優れたＮＦＣデバイスをカードリーダの近くに置くだけでよく、モバイル決済が実施されることができる。したがって、モバイル決済の柔軟性が改善されることができ、さらに、ユーザ体験が改善されることができる。
【００８０】
さらに、本発明の本実施例において提供されるモバイル決済装置によれば、ポータブルＮＦＣデバイスは、カードリーダとインテリジェント端末との間のブリッジとして使用され、それは、ユーザ体験を改善するようにユーザが柔軟性により優れたＮＦＣデバイスを使用することによってカードリーダとインテリジェント端末との間の通信を実施することできることを、実現することができる。取引命令が、ＮＦＣインテリジェント端末に含まれるＣＬＦを使用することによってＳＥに送信されることは、ＮＦＣ機能を有するインテリジェント端末の既存のモバイル決済処理手順に類似しており、それにより、既存のプロトコルに対する修正を低減させることができる。
【００８１】
本発明の本実施例において提供されるモバイル決済装置５０のユニットの他の対応する説明に関しては、図１及び図２の対応する説明を参照されたく、詳細については再び本明細書では説明されない、という点に注意が必要である。
【００８２】
さらに、本発明の実施例は、ＮＦＣデバイスを更に提供し、それによりモバイル決済の柔軟性を改善する。図６に示されるように、ＮＦＣデバイス６０は、ＮＦＣ通信モジュール６１、プロセッサ６２、及びブルートゥース通信モジュール６３を含む。
【００８３】
ＮＦＣ通信モジュール６１は、カードリーダによって送信された取引命令を、ＮＦＣを使用することによって受信するように構成される。
【００８４】
本発明の本実施例に関して、ＮＦＣ通信モジュール６１は、具体的にはアンテナ及びＣＬＦを含む通信モジュールであってもよい。
【００８５】
プロセッサ６２は、ＮＦＣ通信モジュール６１によって受信された取引命令を、ブルートゥース通信モジュール６３に転送するように構成される。
【００８６】
本発明の本実施例に関して、プロセッサ６２は、具体的にはＭＣＵであってもよい。ＮＦＣデバイス６０のプロセッサ６２は、前述のＭＣＵに限定されない、という点に注意が必要である。ＮＦＣデバイス６０へ組み込むことができるその他のプロセッサ６２が本発明の本実施例に適用可能である。
【００８７】
ブルートゥース通信モジュール６３は、ＮＦＣ通信モジュール６１によって受信された取引命令を、ブルートゥースを使用することによってインテリジェント端末に送信し、インテリジェント端末によって送信された応答メッセージを、ブルートゥースを使用することによって受信するように構成され、ここで応答メッセージは、取引命令に従ってインテリジェント端末によって生成される。
【００８８】
本発明の本実施例に関して、ブルートゥース通信モジュール６３は具体的にはＢＴモジュールであってもよい。
【００８９】
プロセッサ６２は、ブルートゥース通信モジュール６３によって受信された応答メッセージを、ＮＦＣ通信モジュール６１に転送するように更に構成される。
【００９０】
ＮＦＣ通信モジュール６１は、ブルートゥース通信モジュール６３によって受信された応答メッセージを、ＮＦＣを使用することによってカードリーダに送信するように更に構成される。
【００９１】
ＮＦＣ通信モジュール６１によって受信された取引命令は、非接触アプリケーションの識別情報及び取引金額情報を伝達し、ここで非接触アプリケーションは、カードリーダに対応する非接触アプリケーションである。
【００９２】
任意選択で、インテリジェント端末は、少なくとも１つの非接触アプリケーションの識別情報及び少なくとも１つの非接触アプリケーションの口座残高情報を記憶する。本発明の本実施例に関して、インテリジェント端末は、最初に、ブルートゥース通信モジュール６３によって送信された取引命令において伝達された非接触アプリケーションの識別情報に従って非接触アプリケーションの口座残高情報を判定し、次いで、非接触アプリケーションの口座残高情報、及び取引命令において伝達された非接触アプリケーションの取引金額情報に従って取引処理を行い、次にブルートゥース通信モジュール６３によって受信される応答メッセージを生成する。
【００９３】
ブルートゥース通信モジュール６３によって受信される応答メッセージは、取引成功情報又は取引失敗情報を伝達する。
【００９４】
取引成功情報は、非接触アプリケーションの口座残高情報が非接触アプリケーションの取引金額情報以上であるとインテリジェント端末が判定した後に生成される。取引失敗情報は、非接触アプリケーションの口座残高情報が非接触アプリケーションの取引金額情報未満であるとインテリジェント端末が判定した後に生成される。
【００９５】
任意選択で、インテリジェント端末は、セキュアエレメントＳＥを含み、ここで、ＳＥは、少なくとも１つの非接触アプリケーションの識別情報及び少なくとも１つの非接触アプリケーションの口座残高情報を記憶し、ＳＥは、加入者識別モジュールＳＩＭカード、ユーザ識別モジュールＵＩＭカード、セキュアデジタルメモリカードＳＤ、又はインテリジェント端末のうちの少なくとも１つに組み込まれる。
【００９６】
本発明の本実施例に関して、インテリジェント端末が複数のＳＥを含んでいる場合、インテリジェント端末は、最初に、ブルートゥース通信モジュール６３によって送信された取引命令において伝達された非接触アプリケーションの識別情報に従って非接触アプリケーションに対応するＳＥを判定し、次いで、ＳＥにおいて、取引命令において伝達された非接触アプリケーションの識別情報に従って非接触アプリケーションの口座残高情報を判定し、最後に、非接触アプリケーションの口座残高情報、及び取引命令において伝達された非接触アプリケーションの取引金額情報に従って取引処理を行い、次にブルートゥース通信モジュール６３によって受信される応答メッセージを生成する。
【００９７】
本発明の本実施例において提供されるＮＦＣデバイスによれば、ＮＦＣデバイスは、最初に、カードリーダによって送信された取引命令を、ＮＦＣを使用することによって受信し、次いで、取引命令を、ブルートゥースを使用することによってインテリジェント端末に送信し、インテリジェント端末によって送信された応答メッセージを、ブルートゥースを使用することによって受信し、ここで応答メッセージは、取引命令に従ってインテリジェント端末によって生成され、最後に、応答メッセージを、ＮＦＣを使用することによってカードリーダに送信する。ＮＦＣ機能を有するインテリジェント端末を使用することによって直接実施される既存のモバイル決済と比較して、本発明の本実施例では、ＮＦＣデバイスは、カードリーダによって送信された取引命令をインテリジェント端末に転送し、インテリジェント端末によって送信された応答メッセージをカードリーダに転送し、それにより、ユーザは、柔軟性により劣るインテリジェント端末を使用することによってモバイル決済を直接行うことを免れ、すなわち、ユーザは、柔軟性により優れたＮＦＣデバイスをカードリーダの近くに置くだけでよく、モバイル決済が実施されることができる。したがって、モバイル決済の柔軟性が改善されることができ、さらに、ユーザ体験が改善されることができる。
【００９８】
さらに、本発明の本実施例において提供されるＮＦＣデバイスによれば、ポータブルＮＦＣデバイスは、カードリーダとインテリジェント端末との間のブリッジとして使用され、それは、ユーザ体験を改善するようにユーザが柔軟性により優れたＮＦＣデバイスを使用することによってカードリーダとインテリジェント端末との間の通信を実施することできることを、実現することができる。取引命令が、ＮＦＣインテリジェント端末に含まれるＣＬＦを使用することによってＳＥに送信されることは、ＮＦＣ機能を有するインテリジェント端末の既存のモバイル決済処理手順に類似しており、それにより、既存のプロトコルに対する修正を低減させることができる。
【００９９】
本発明の本実施例において提供されるＮＦＣデバイス６０によって実施される機能及び方法の対応する説明に関しては、図１又は図２の対応する説明を参照されたく、詳細については再び本明細書では説明されない、という点に注意が必要である。
【０１００】
本発明の実施例において提供されるモバイル決済装置及びＮＦＣデバイスは、前述の提供された方法の実施例を実施することができる。特定の機能の実装例に関しては、方法の実施例における説明を参照されたく、詳細については再び本明細書では説明されない。本発明の実施例において提供されるモバイル決済方法及び装置、並びに近距離無線通信デバイスは、ＮＦＣを使用することによって実施されるモバイル決済に適用可能の場合があるが、これに限定されていない。
【０１０１】
当業者は、実施例における方法のプロセスの全て又は一部が関連するハードウェアに命令するコンピュータプログラムによって実施されてもよいことを理解することができる。プログラムは、コンピュータ読み取り可能な記憶媒体に記憶されてもよい。プログラムが作動するとき、実施例における方法のプロセスが行われる。前述の記憶媒体は、磁気ディスク、光ディスク、読出し専用メモリ（Read-Only  Memory、ＲＯＭ）又はランダムアクセスメモリ（Random  Access  Memory、ＲＡＭ）を含むことができる。
【０１０２】
前述の説明は、本発明の特定の実施例に過ぎず、本発明の保護範囲を限定することは意図されていない。本発明において開示された技術的な範囲内で当業者によって容易に考え出されるいかなる変形形態又は置換形態も、本発明の保護範囲内にあるものとする。したがって、本発明の保護範囲は、請求項の保護範囲に従うものとする。
【図１】
2017532631.tif 000003
【図２】
2017532631.tif 000004
【図３】
2017532631.tif 000005
【図４】
2017532631.tif 000006
【図５】
2017532631.tif 000007
【図６】
2017532631.tif 000008
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
モバイル決済方法であって、
近距離無線通信（ＮＦＣ）デバイスにより、カードリーダによって送信された取引命令を、ＮＦＣを使用することによって受信するステップと、
前記ＮＦＣデバイスにより、前記取引命令を、ブルートゥースを使用することによってインテリジェント端末に送信するステップと、
前記ＮＦＣデバイスにより、前記インテリジェント端末によって送信された応答メッセージを、前記ブルートゥースを使用することによって受信するステップであって、前記応答メッセージが前記取引命令に従って前記インテリジェント端末によって生成される、ステップと、
前記ＮＦＣデバイスにより、前記応答メッセージを、前記ＮＦＣを使用することによって前記カードリーダに送信するステップとを含む、方法。
【請求項２】
前記取引命令が非接触アプリケーションの識別情報及び取引金額情報を伝達し、前記非接触アプリケーションが前記カードリーダに対応する非接触アプリケーションであり、
前記インテリジェント端末が、少なくとも１つの非接触アプリケーションの識別情報及び前記少なくとも１つの非接触アプリケーションの口座残高情報を記憶する、請求項１に記載の方法。
【請求項３】
前記応答メッセージが前記取引命令に従って前記インテリジェント端末によって生成されるということが、
前記インテリジェント端末が、前記取引命令において伝達された前記非接触アプリケーションの前記識別情報に従って前記非接触アプリケーションの口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで前記応答メッセージを生成することである、請求項２に記載の方法。
【請求項４】
前記応答メッセージが、取引成功情報又は取引失敗情報を伝達し、
前記取引成功情報が、前記非接触アプリケーションの前記口座残高情報が前記非接触アプリケーションの前記取引金額情報以上であると前記インテリジェント端末が判定した後に生成され、
前記取引失敗情報が、前記非接触アプリケーションの前記口座残高情報が前記非接触アプリケーションの前記取引金額情報未満であると前記インテリジェント端末が判定した後に生成される、請求項３に記載の方法。
【請求項５】
前記インテリジェント端末がセキュアエレメント（ＳＥ）を備え、前記ＳＥが、前記少なくとも１つの非接触アプリケーションの前記識別情報及び前記少なくとも１つの非接触アプリケーションの前記口座残高情報を記憶し、前記ＳＥが、加入者識別モジュールＳＩＭカード、ユーザ識別モジュールＵＩＭカード、セキュアデジタルメモリカードＳＤ、又は前記インテリジェント端末のうちの少なくとも１つに組み込まれ、
前記インテリジェント端末が複数のＳＥを備える場合、前記応答メッセージが前記取引命令に従って前記インテリジェント端末によって生成されるということが、
前記インテリジェント端末が、前記取引命令において伝達された前記非接触アプリケーションの前記識別情報に従って前記非接触アプリケーションに対応するＳＥを判定し、
前記インテリジェント端末が、前記ＳＥにおいて、前記取引命令において伝達された前記非接触アプリケーションの前記識別情報に従って前記非接触アプリケーションの前記口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで前記応答メッセージを生成することである、請求項２から請求項４のいずれか一項に記載の方法。
【請求項６】
モバイル決済装置であって、
カードリーダによって送信された取引命令を、ＮＦＣを使用することによって受信するように構成されるＮＦＣ受信ユニットと、
前記ＮＦＣ受信ユニットによって受信された前記取引命令を、ブルートゥースを使用することによってインテリジェント端末に送信するように構成されるブルートゥース送信ユニットと、
前記インテリジェント端末によって送信された応答メッセージを、前記ブルートゥースを使用することによって受信するように構成されるブルートゥース受信ユニットであって、前記応答メッセージが前記ブルートゥース送信ユニットによって送信された前記取引命令に従って前記インテリジェント端末によって生成される、ブルートゥース受信ユニットと、
前記ブルートゥース受信ユニットによって受信された前記応答メッセージを、前記ＮＦＣを使用することによって前記カードリーダに送信するように構成されるＮＦＣ送信ユニットとを備える、装置。
【請求項７】
前記ＮＦＣ受信ユニットによって受信された前記取引命令が非接触アプリケーションの識別情報及び取引金額情報を伝達し、前記非接触アプリケーションが前記カードリーダに対応する非接触アプリケーションであり、
前記インテリジェント端末が、少なくとも１つの非接触アプリケーションの識別情報及び前記少なくとも１つの非接触アプリケーションの口座残高情報を記憶する、請求項６に記載の装置。
【請求項８】
前記インテリジェント端末が、前記ブルートゥース送信ユニットによって送信された前記取引命令において伝達された前記非接触アプリケーションの前記識別情報に従って前記非接触アプリケーションの口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース受信ユニットによって受信される前記応答メッセージを生成する、請求項７に記載の装置。
【請求項９】
前記ブルートゥース受信ユニットによって受信される前記応答メッセージが取引成功情報又は取引失敗情報を伝達し、
前記取引成功情報が、前記非接触アプリケーションの前記口座残高情報が前記非接触アプリケーションの前記取引金額情報以上であると前記インテリジェント端末が判定した後に生成され、
前記取引失敗情報が、前記非接触アプリケーションの前記口座残高情報が前記非接触アプリケーションの前記取引金額情報未満であると前記インテリジェント端末が判定した後に生成される、請求項８に記載の装置。
【請求項１０】
前記インテリジェント端末がセキュアエレメント（ＳＥ）を備え、前記ＳＥが、前記少なくとも１つの非接触アプリケーションの前記識別情報及び前記少なくとも１つの非接触アプリケーションの前記口座残高情報を記憶し、前記ＳＥが、加入者識別モジュールＳＩＭカード、ユーザ識別モジュールＵＩＭカード、セキュアデジタルメモリカードＳＤ、又は前記インテリジェント端末のうちの少なくとも１つに組み込まれ、
前記インテリジェント端末が複数のＳＥを備える場合、前記インテリジェント端末が前記ブルートゥース送信ユニットによって送信された前記取引命令において伝達された前記非接触アプリケーションの前記識別情報に従って前記非接触アプリケーションに対応するＳＥを判定し、
前記インテリジェント端末が、前記ＳＥにおいて、前記取引命令において伝達された前記非接触アプリケーションの前記識別情報に従って前記非接触アプリケーションの前記口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース受信ユニットによって受信される前記応答メッセージを生成する、請求項７から請求項９のいずれか一項に記載の装置。
【請求項１１】
近距離無線通信（ＮＦＣ）デバイスであって、
カードリーダによって送信された取引命令を、ＮＦＣを使用することによって受信するように構成されるＮＦＣ通信モジュールと、
前記ＮＦＣ通信モジュールによって受信された前記取引命令を、ブルートゥース通信モジュールに転送するように構成されるプロセッサと、
前記ＮＦＣ通信モジュールによって受信された前記取引命令を、ブルートゥースを使用することによってインテリジェント端末に送信し、前記インテリジェント端末によって送信された応答メッセージを、前記ブルートゥースを使用することによって受信するように構成される前記ブルートゥース通信モジュールであって、前記応答メッセージが前記取引命令に従って前記インテリジェント端末によって生成される、前記ブルートゥース通信モジュールとを備え、
前記プロセッサが、前記ブルートゥース通信モジュールによって受信された前記応答メッセージを、前記ＮＦＣ通信モジュールに転送するように更に構成され、
前記ＮＦＣ通信モジュールが、前記ブルートゥース通信モジュールによって受信された前記応答メッセージを、前記ＮＦＣを使用することによって前記カードリーダに送信するように更に構成される、ＮＦＣデバイス。
【請求項１２】
前記ＮＦＣ通信モジュールによって受信された前記取引命令が非接触アプリケーションの識別情報及び取引金額情報を伝達し、前記非接触アプリケーションが前記カードリーダに対応する非接触アプリケーションであり、
前記インテリジェント端末が、少なくとも１つの非接触アプリケーションの識別情報及び前記少なくとも１つの非接触アプリケーションの口座残高情報を記憶する、請求項１１に記載のＮＦＣデバイス。
【請求項１３】
前記インテリジェント端末が、前記ブルートゥース通信モジュールによって送信された前記取引命令において伝達された前記非接触アプリケーションの前記識別情報に従って前記非接触アプリケーションの口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース通信モジュールによって受信される前記応答メッセージを生成する、請求項１２に記載のＮＦＣデバイス。
【請求項１４】
前記ブルートゥース通信モジュールによって受信される前記応答メッセージが取引成功情報又は取引失敗情報を伝達し、
前記取引成功情報が、前記非接触アプリケーションの前記口座残高情報が前記非接触アプリケーションの前記取引金額情報以上であると前記インテリジェント端末が判定した後に生成され、
前記取引失敗情報が、前記非接触アプリケーションの前記口座残高情報が前記非接触アプリケーションの前記取引金額情報未満であると前記インテリジェント端末が判定した後に生成される、請求項１３に記載のＮＦＣデバイス。
【請求項１５】
前記インテリジェント端末がセキュアエレメント（ＳＥ）を備え、前記ＳＥが、前記少なくとも１つの非接触アプリケーションの前記識別情報及び前記少なくとも１つの非接触アプリケーションの前記口座残高情報を記憶し、前記ＳＥが、加入者識別モジュールＳＩＭカード、ユーザ識別モジュールＵＩＭカード、セキュアデジタルメモリカードＳＤ、又は前記インテリジェント端末のうちの少なくとも１つに組み込まれ、
前記インテリジェント端末が複数のＳＥを備える場合、前記インテリジェント端末が前記ブルートゥース通信モジュールによって送信された前記取引命令において伝達された前記非接触アプリケーションの前記識別情報に従って前記非接触アプリケーションに対応するＳＥを判定し、
前記インテリジェント端末が、前記ＳＥにおいて、前記取引命令において伝達された前記非接触アプリケーションの前記識別情報に従って前記非接触アプリケーションの前記口座残高情報を判定し、
前記インテリジェント端末が、前記非接触アプリケーションの前記口座残高情報、及び前記取引命令において伝達された前記非接触アプリケーションの前記取引金額情報に従って取引処理を行い、次いで、前記ブルートゥース通信モジュールによって受信される前記応答メッセージを生成する、請求項１２から請求項１４のいずれか一項に記載のＮＦＣデバイス。
【手続補正２】
【補正対象書類名】明細書
【補正対象項目名】０００７
【補正方法】変更
【補正の内容】
【０００７】
第１の態様によれば、本発明は、モバイル決済方法であって、近距離無線通信（ＮＦＣ）デバイスにより、カードリーダによって送信された取引命令を、ＮＦＣを使用することによって受信するステップと、前記ＮＦＣデバイスにより、前記取引命令を、ブルートゥースを使用することによってインテリジェント端末に送信するステップと、前記ＮＦＣデバイスにより、前記インテリジェント端末によって送信された応答メッセージを、前記ブルートゥースを使用することによって受信するステップであって、前記応答メッセージが前記取引命令に従って前記インテリジェント端末によって生成される、ステップと、前記ＮＦＣデバイスにより、前記応答メッセージを、前記ＮＦＣを使用することによって前記カードリーダに送信するステップとを含む、方法を提供する。
【手続補正３】
【補正対象書類名】明細書
【補正対象項目名】００１１
【補正方法】変更
【補正の内容】
【００１１】
第１の態様の第１の可能な実施方法、第１の態様の第２の可能な実施方法、又は第１の態様の第３の可能な実施方法に関連して、第１の態様の第４の可能な実施方法において、前記インテリジェント端末はセキュアエレメント（ＳＥ）を含み、前記ＳＥは、前記少なくとも１つの非接触アプリケーションの前記識別情報及び前記少なくとも１つの非接触アプリケーションの前記口座残高情報を記憶し、前記ＳＥは、加入者識別モジュールＳＩＭカード、ユーザ識別モジュールＵＩＭカード、セキュアデジタルメモリカードＳＤ、又は前記インテリジェント端末のうちの少なくとも１つに組み込まれ、前記インテリジェント端末が複数のＳＥを含む場合、前記応答メッセージが前記取引命令に従って前記インテリジェント端末によって生成されるということは、具体的には、前記インテリジェント端末が、前記取引命令において伝達された前記非接触アプリケーションの前記識別情報に従って前記非接触アプリケーションに対応するＳＥを判定し、前記インテリジェント端末が、前記ＳＥにおいて、前記取引命令において伝達された前記非接触アプリケーションの前記識別情報に従って前記非接触アプリケーションの前記口座残高情報を判定し、前記インテリジェント端末が、前記非接触アプリケーションの前記口座残高情報、及び前記取引命令において伝達された前記非接触アプリケーションの前記取引金額情報に従って取引処理を行い、次いで前記応答メッセージを生成することである。
【手続補正４】
【補正対象書類名】明細書
【補正対象項目名】００１６
【補正方法】変更
【補正の内容】
【００１６】
第２の態様の第１の可能な実施方法、第２の態様の第２の可能な実施方法、又は第２の態様の第３の可能な実施方法に関連して、第２の態様の第４の可能な実施方法において、前記インテリジェント端末はセキュアエレメント（ＳＥ）を含み、前記ＳＥは、前記少なくとも１つの非接触アプリケーションの前記識別情報及び前記少なくとも１つの非接触アプリケーションの前記口座残高情報を記憶し、前記ＳＥは、加入者識別モジュールＳＩＭカード、ユーザ識別モジュールＵＩＭカード、セキュアデジタルメモリカードＳＤ、又は前記インテリジェント端末のうちの少なくとも１つに組み込まれ、前記インテリジェント端末が複数のＳＥを含む場合、前記インテリジェント端末は前記ブルートゥース送信ユニットによって送信された前記取引命令において伝達された前記非接触アプリケーションの前記識別情報に従って前記非接触アプリケーションに対応するＳＥを判定し、前記インテリジェント端末は、前記ＳＥにおいて、前記取引命令において伝達された前記非接触アプリケーションの前記識別情報に従って前記非接触アプリケーションの前記口座残高情報を判定し、前記インテリジェント端末は、前記非接触アプリケーションの前記口座残高情報、及び前記取引命令において伝達された前記非接触アプリケーションの前記取引金額情報に従って取引処理を行い、次いで、前記ブルートゥース受信ユニットによって受信される前記応答メッセージを生成する。
【手続補正５】
【補正対象書類名】明細書
【補正対象項目名】００１７
【補正方法】変更
【補正の内容】
【００１７】
第３の態様によれば、本発明は、近距離無線通信（ＮＦＣ）デバイスであって、カードリーダによって送信された取引命令を、ＮＦＣを使用することによって受信するように構成されるＮＦＣ通信モジュールと、前記ＮＦＣ通信モジュールによって受信された前記取引命令を、ブルートゥース通信モジュールに転送するように構成されるプロセッサと、前記ＮＦＣ通信モジュールによって受信された前記取引命令を、ブルートゥースを使用することによってインテリジェント端末に送信し、前記インテリジェント端末によって送信された応答メッセージを、前記ブルートゥースを使用することによって受信するように構成される前記ブルートゥース通信モジュールであって、前記応答メッセージが前記取引命令に従って前記インテリジェント端末によって生成される、前記ブルートゥース通信モジュールとを含み、前記プロセッサが、前記ブルートゥース通信モジュールによって受信された前記応答メッセージを、前記ＮＦＣ通信モジュールに転送するように更に構成され、前記ＮＦＣ通信モジュールが、前記ブルートゥース通信モジュールによって受信された前記応答メッセージを、前記ＮＦＣを使用することによって前記カードリーダに送信するように更に構成される、ＮＦＣデバイスを提供する。
【手続補正６】
【補正対象書類名】明細書
【補正対象項目名】００２１
【補正方法】変更
【補正の内容】
【００２１】
第３の態様の第１の可能な実施方法、第３の態様の第２の可能な実施方法、又は第３の態様の第３の可能な実施方法に関連して、第３の態様の第４の可能な実施方法において、前記インテリジェント端末はセキュアエレメント（ＳＥ）を含み、前記ＳＥは、前記少なくとも１つの非接触アプリケーションの前記識別情報及び前記少なくとも１つの非接触アプリケーションの前記口座残高情報を記憶し、前記ＳＥは、加入者識別モジュールＳＩＭカード、ユーザ識別モジュールＵＩＭカード、セキュアデジタルメモリカードＳＤ、又は前記インテリジェント端末のうちの少なくとも１つに組み込まれ、前記インテリジェント端末が複数のＳＥを含む場合、前記インテリジェント端末は前記ブルートゥース通信モジュールによって送信された前記取引命令において伝達された前記非接触アプリケーションの前記識別情報に従って前記非接触アプリケーションに対応するＳＥを判定し、前記インテリジェント端末は、前記ＳＥにおいて、前記取引命令において伝達された前記非接触アプリケーションの前記識別情報に従って前記非接触アプリケーションの前記口座残高情報を判定し、前記インテリジェント端末は、前記非接触アプリケーションの前記口座残高情報、及び前記取引命令において伝達された前記非接触アプリケーションの前記取引金額情報に従って取引処理を行い、次いで、前記ブルートゥース通信モジュールによって受信される前記応答メッセージを生成する。
【手続補正７】
【補正対象書類名】明細書
【補正対象項目名】００２３
【補正方法】変更
【補正の内容】
【００２３】
本発明における技術的解決法をより明確に説明するために、下記は、本発明を説明するために必要とされる添付図面を簡単に説明する。明らかに、下記の説明における添付図面は本発明の単にいくつかの実施例を表すとともに、当業者は、これらの添付図面から更に他の図面を導き出し得る。
【手続補正８】
【補正対象書類名】明細書
【補正対象項目名】００２５
【補正方法】変更
【補正の内容】
【００２５】
下記は、本発明の実施例における添付図面を参照して、本発明の実施例における技術的解決法を明確に説明する。明らかに、説明される実施例は本発明の実施例の全てではなく単に一部である。本発明の実施例に基づいて、当業者により取得される他の全ての実施例は、本発明の保護範囲に含まれるものとする。
【国際調査報告】
2017532631.tif 000009
2017532631.tif 000010
2017532631.tif 000011
2017532631.tif 000012